(57)【要約】【課題】この発明は、壁体に複数の足場が当該壁体から突出するようにして設けられた猫用遊具に関する。【解決手段】本発明の猫用遊具１は、壁体２に複数のステップ３が、相近接する当該ステップ３を猫が往来自在となるように当該壁体２から突出するようにして設けられたものである。そして、ステップ３は、例えば箱型等の種々の形状とすることができ、該ステップ３のうち壁体２の最上部に取り付けられた最上部ステップ３には猫の転落を防止すると共に、猫の警戒心を和らげる柵３２ｄが設けられている。【選択図】図１
2010011761.tif 000002
【特許請求の範囲】
【請求項１】
壁体に複数のステップが、相近接する当該ステップを猫が往来自在となるように当該壁体から突出するようにして設けられた猫用遊具において、
前記ステップのうち、少なくとも最も上部に設けられた最上部ステップには柵が設けられていることを特徴とする猫用遊具。
【請求項２】
前記柵には、その外側から当該柵内側を視認可能とするスリットが設けられていることを特徴とする請求項１記載の猫用遊具。
【請求項３】
前記ステップのうち少なくとも１つが、四角柱形状に形成され、且つ、その相対向する一方面から他方面に貫通するようにして設けられたトンネル部を具備する箱体であることを特徴とする請求項１又は２記載の猫用遊具。
【請求項４】
前記箱体の少なくとも一面には、該箱体の外側から内側に貫通する貫通孔が設けられたことを特徴とする請求項１乃至３記載の猫用遊具。
【請求項５】
前記ステップのうち少なくとも１つが、上側へ凸となるように円弧状に形成されたことを特徴とする請求項１乃至４記載の猫用遊具。
【請求項６】
前記壁体内部に該壁体の外側から猫が出入り自在な通り穴を有する収容体が形成されたことを特徴とする請求項１乃至５記載の猫用遊具。
【請求項７】
前記収容体が前記壁体の外側に引出し自在であることを特徴とする請求項６記載の猫用意遊具。
【請求項８】
前記収容体が、前記壁体におけるステップが設けられた側と反対側面に設けられた階段の下方に形成される階段下空間に突出して設けられたことを特徴とする請求項６又は７記載の猫用遊具。
【請求項９】
前記壁体の外側面には、前記壁体におけるステップが設けられた側と反対側面に設けられた階段へと連通する連通孔が形成されたことを特徴とする請求項１乃至９記載の猫用遊具。
【請求項１０】
前記ステップに滑り止め加工が施されたことを特徴とする請求項１乃至９記載の猫用遊具。
【請求項１１】
請求項１乃至１０記載の猫用遊具が住宅の室内に設けられたことを特徴とする猫用遊具備付住宅。
【発明の詳細な説明】
【技術分野】
【０００１】
この発明は、壁体に複数のステップが当該壁体から突出するようにして設けられた猫用遊具に関する。
【背景技術】
【０００２】
従来、猫は野生の動物であることから、これを室内で飼育する際には野外で生活する場合に比べて運動する機会が少なく当該猫が運動不足になるという問題が生じている。そして、猫が運動不足になることによって、ストレスが溜まり円形脱毛症等の症状が発生したり、また、該運動不足が肥満を助長するといった弊害も多く発生している。
【０００３】
そのため、飼主は、ボールや専用の遊具等で猫を積極的に運動させることにより運動不足を解消させている。しかし、飼主が仕事や学校等で猫と遊ぶための時間を多く割くことができない場合には、当該猫の運動不足を解消することが困難であった。そのため、図１０に示すように、壁体１０１に複数の板状のステップ１０２がＬ字型の支持部材１０３により複数、当該壁体１０１から突出するようにして設けられた猫用遊具１０４が考案されている（例えば、非特許文献１）。これにより、猫が運動するためのスペースを確保することができる。
【０００４】
【非特許文献１】http://store.shopping.yahoo.co.jp/peppy/y10277400.html#
【発明の開示】
【発明が解決しようとする課題】
【０００５】
しかし、上述の猫用遊具１０４では、猫の運動スペースを確保することができるものの、ステップ１０２を壁体１０１の高い位置に取付けた場合には、猫が落下して怪我をする可能性があった。
【０００６】
この発明は上記のような種々の課題を解決することを目的としてなされたものであって、安全な猫の運動スペースを確保を容易に確保することができ、当該猫の運動不足を解消することのできる猫用遊具に関する。
【課題を解決するための手段】
【０００７】
上記目的を達成するために、請求項１記載の猫用遊具は、壁体に複数のステップが、相近接する当該ステップを猫が往来自在となるように当該壁体から突出するようにして設けられた猫用遊具において、前記ステップのうち、少なくとも最も上部に設けられた最上部ステップには柵が設けられていることを特徴としている。
【０００８】
請求項２記載の猫用遊具は、前記柵には、その外側から当該柵内側を視認可能とするスリットが設けられていることを特徴としている。
【０００９】
請求項３記載の猫用遊具は、前記ステップのうち少なくとも１つが、四角柱形状に形成され、且つ、その相対向する一方面から他方面に貫通するようにして設けられたトンネル部を具備する箱体であることを特徴としている。
【００１０】
請求項４記載の猫用遊具は、前記箱体の少なくとも一面には、該箱体の外側から内側に貫通する貫通孔が設けられたことを特徴としている。
【００１１】
請求項５記載の猫用遊具は、前記ステップのうち少なくとも１つが、上側へ凸となるように円弧状に形成されたことを特徴としている。
【００１２】
請求項６記載の猫用遊具は、前記壁体内部に該壁体の外側から猫が出入り自在な通り穴を有する収容体が形成されたことを特徴としている。
【００１３】
請求項７記載の猫用遊具は、前記収容体が前記壁体の外側に引出し自在であることを特徴としている。
【００１４】
請求項８記載の猫用遊具は、前記収容体が、前記壁体におけるステップが設けられた側と反対側面に設けられた階段の下方に形成される階段下空間に突出して設けられたことを特徴としている。
【００１５】
請求項９記載の猫用遊具は、前記壁体の外側面には、前記壁体におけるステップが設けられた側と反対側面に設けられた階段へと連通する連通孔が形成されたことを特徴としている。
【００１６】
請求項１０記載の猫用遊具は、前記ステップに滑り止め加工が施されたことを特徴としている。
【００１７】
請求項１１記載の猫用遊具は、請求項１乃至９記載の猫用遊具が住宅の室内に設けられたことを特徴としている。
【発明の効果】
【００１８】
請求項１記載の猫用遊具によれば、前記ステップのうち、少なくとも最も上部に設けられた最上部ステップには柵が設けられているので、猫が最上部ステップから誤って転落することがなく安全である。また、猫は本来、警戒心の強い生き物であるため、外部から容易に視認できる場所ではリラックスして運動することができないが、柵によって当該猫がその身の一部、若しくは全部を隠しながら運動することができるので、運動不足の解消の効果をより高めることができる。そして、時には柵にその身の一部、若しくは全部を隠しながら毛づくろい等を行うことができ、猫をより一層リラックスさせることができる。
【００１９】
請求項２記載の猫用遊具によれば、前記柵には、その外側から当該柵内側を視認可能とするスリットが設けられている。そのため、猫はその身の一部を隠しながらリラックスして運動や毛づくろいを行うことができると共に、飼主は、柵に設けられたスリット越しに、その猫の姿の一部を視認することができる。
【００２０】
請求項３記載の猫用遊具によれば、前記ステップのうち少なくとも１つが、四角柱形状に形成され、且つ、その相対向する一方面から他方面に貫通するようにして設けられたトンネル部を具備する箱体である。これにより、トンネル部が壁体の外側面と平行となるように、取付けられることで、猫がその身の一部、若しくは全部を隠しながらリラックスして運動することができる。また、トンネル部が壁体の外側面に垂直となるように、箱体が該壁体に取付けられることで、当該トンネル部の内部にインテリアとしての植物や、写真、本等の雑貨を飾っておくこともできる。この際には、猫は箱体の周囲を移動するので、当該箱体内の雑貨が猫により破壊等されるおそれがないという利点がある。
【００２１】
請求項４記載の猫用遊具によれば、前記箱体の少なくとも一面には、該箱体の外側から内側に貫通する貫通孔が設けられている。これにより、外観を向上させると共に、飼主は、貫通孔から箱体内部の猫の姿を視認することができる。
【００２２】
請求項５記載の猫用遊具によれば、前記ステップのうち少なくとも１つが、上側へ凸となるように円弧状に形成されている。これにより、円弧状に形成された上側面の曲面に沿うようにして猫がリラックスして休むことができ、飼主はその姿を外部から視認することができる。
【００２３】
請求項６記載の猫用遊具によれば、前記壁体内部に該壁体の外側から猫が出入り自在な通り穴を有する収容体が形成されている。これにより、猫は運動した後に、外部の視線からおよそ遮断された収容体で休憩することができる。
【００２４】
請求項７記載の猫用遊具によれば、前記収容体が前記壁体の外側に引出し自在であるので、収容体の清掃が容易である。
【００２５】
請求項８記載の猫用遊具によれば、前記壁体におけるステップが設けられた側と反対側面に設けられた階段の下方に形成される階段下空間に突出して設けられるので、当該階段下空間を有効に使用することができる。
【００２６】
請求項９記載の猫用遊具によれば、前記壁体の外側面には、前記壁体におけるステップが設けられた側と反対側面に設けられた階段へと連通する連通孔が形成されている。これにより、壁体外部から階段まで直接アクセスすることができ、猫の運動スペースがより拡張され運動不足の解消により貢献することができる。また、連通孔内部で猫が休憩することもできる。
【００２７】
請求項１０記載の猫用遊具によれば、前記ステップに滑り止め加工が施されているので、ステップを移動する猫が足を滑らせて落下等することがない。
【００２８】
請求項１１記載の猫用遊具によれば、請求項１乃至１０記載の猫用遊具が住宅の室内に設けられている。これにより、人と猫との共有スペースを容易に設けることができ、猫が快適に過ごすことができると共に、飼主もその猫の様子を視認しながら快適に生活することができる。
【発明を実施するための最良の形態】
【００２９】
この発明における猫用遊具の最良の実施形態について、以下に説明する。本発明の猫用遊具１は、図１、図２に示すように、壁体２に複数のステップ３が、相近接する当該ステップ３を猫が往来自在となるように当該壁体２から突出するようにして設けられたものである。
【００３０】
前記壁体２は、図１に示すように、住宅室内のリビング等の壁体２であり、該壁体２におけるステップ３が設けられた側と反対側面には図２に示すように、上階へ移動するための階段Ａ等が設けられていてもよい。また、壁体２は住宅だけでなく、ペットショップや、犬や猫等の愛玩動物と共に入店可能なカフェ等の壁体２であってもよく、さらには、衝立等であってもよく限定されるものではない。
【００３１】
第１の実施形態に係るステップ３１は、図３に示すように、全体形状が直方体形状に形成され、且つ、その相対向する一方面から他方面に貫通するようにして設けられたトンネル部３１ａを具備した箱体である。また、本実施形態のステップ３１、及び以下に示す他の実施形態に係るステップ３も木質の材料を好適に使用することができ、これらの表面は、壁体２の色と調和するように例えば茶色や緑色等に例えばペンキを塗布する等して着色されている。そして、ステップ３１の一面には、当該ステップ３１の外側から内側へ貫通する貫通孔３１ｂを設けることができる。
【００３２】
この貫通孔３１ｂにより、猫がトンネル部３１ａを通る際に、飼主はその姿を当該貫通孔３１ｂ越しに視認することができる。また貫通孔３１ｂは、図３に示すように、トンネル部３１ａ内部が外部から視認することができるように、壁体２の外側面２ａと当接する面以外の面に当該貫通孔３１ｂが設けられることが好ましい。尚、箱体の形状は直方体形状以外にも立方体や、その他の四角柱形状であれば適宜変更することができのは勿論であり、また、貫通孔３１ｂの数や位置は本実施形態の位置に限定されず変更することができる。
【００３３】
そして、ステップ３１を壁体２に取付ける際には、図３（ａ）に示すように、トンネル部３１ａが壁体２の外側面２ａと平行になるように取付けることができる。これにより、猫はトンネル部３１ａを通り抜けるようにして運動することができるが、この際には、本能的に警戒心の強い猫はその身の一部、若しくは、全部を隠しながらリラックスした状態で運動することができる。その他にも、図３（ｂ）に示すように、トンネル部３１ａが壁体２の外側面２ａと垂直になるように取付けることができる。これにより、ステップ３１のトンネル部３１ａには、室内のインテリアとして本、植物、写真等の雑貨Ｚを飾っておくことができる。この際には、猫はステップ３１の周囲を移動するので、トンネル部３１ａ内の雑貨Ｚが猫により破壊されるおそれがないという利点がある。
【００３４】
そして、図３（ｂ）に示すように、トンネル部３１ａが壁体２の外側面２ａと垂直となるようにステップ３１を壁体２に取付ける際には、図８に示すように、断面がコの字型に形成された長尺な係止金具４が使用される。具体的には、まず断面コの字型に形成された係止金具４の底部４ａを壁体２の外側面２ａに当接させ、該係止金具４の内側から底部４ａに壁体２方向にネジＳ１をねじ込む。この際には、係止金具４の長手方向に亘って複数のネジＳ１がねじ込まれるので当該係止金具４を壁体２に確実に固定することができる。そして、ステップ３１を形成する板材３１ｃの一端部を係止金具４の凹部に挿入し、その上方からネジＳ２がねじ込まれるようにしてステップ３１が壁体２に取付けられる。この際には、ステップ３１の上側面、及び下側面の板材３１ｃの両方が係止金具４によって係止されることが好ましく、また、係止金具４の長手方向に亘って板材３１ｃに対してネジＳ２がねじ込まれるのでステップ３１が壁体２に強固に取付けられる。
【００３５】
一方、図３（ａ）に示すように、トンネル部３１ａが壁体２の外側面２ａと平行となるようにステップ３１を壁体２に取付ける際には、壁体２の外側面２ａと当接する板材３１ｃの上から外壁２方向へネジＳ３をねじ込むようにして当該ステップ３１が取付けられる。尚、ステップ３１の壁体２への取付け方法は上述の方法に限定されず接着剤等の他の周知の方法を用いることができる。また、ステップ３１の勾配は係止金具４を壁体２に水平に取付けることにより当該ステップ３１も水平に取付けられているが、所定勾配を設けてもよいのは勿論である。
【００３６】
第２の実施形態に係るステップ３２は、図４に示すように、一端側が壁体２の外側面２ａに水平方向に取付けられた矩形形状の板部材３２ａと、該板部材３２ａの他端側に亘って垂直上側方向に角柱状の棒部材３２ｂが、所定間隔をあけスリット３２ｃを形成するように接着剤等で取付けられて成る柵３２ｄと、から形成されている。また、本実施形態の柵３２ｄはスリット３２ｃが設けられているが、当該柵３２ｄを板状の部材として該スリット３２ｃを設けなくてもよい。
【００３７】
そして、第２の実施形態に係るステップ３２を壁体２に取付ける際には、図１、２に示すように、壁体２に取付けられるステップ３のうち最も上部にある最上部ステップ３ａを含む高所位置に取付けられることが好ましく、これにより、猫の落下を防止することができる。また、前述の効果と共に、猫はその身の一部を隠しながら運動することができるので、リラックスした状態で運動することができ、また、飼主はその姿を、スリット３２ｃを通して視認することができる。
【００３８】
第３の実施形態に係るステップ３３は、図５に示すように、短棒部材３３ａと長棒部材３３ｂとが、交互に所定間隔をあけて板部材３２ａの他端部に亘って垂直上側方向に接着剤等で取付けられ、さらに、板部材３２ａを貫通するようにして貫通孔３３ｃが設けられたこと意外は、第２の実施形態に係るステップ３２と同様である。また、貫通孔３３ｃは猫の顔形状を模した形状となっており、当該ステップ３３の意匠性を向上させると共に、猫の通り道となっている。そして、第２、及び第３の実施形態に係るステップ３２、３３を壁体２に取付ける際には、図８に示すような、既述の係止部材４を使用することができる。
【００３９】
第４の実施形態に係るステップ３４は、図６に示すように、角柱状の棒部材３４ａをコの字型になるように周知の方法で連結すると共に、その開口部が円柱状の架設材３４ｂで架設され矩形状に形成されて成る枠部材３４ｃを、壁体２の外側面２ａと垂直に、所定間隔あけて水平方向に複数並べるようにして壁体２に取付けられ、その底部３４ｅに板部材３４ｆが必要に応じて載置固定される等して形成されている。また、前記板部材３４ｆは、板部材５が延長されたものであってもよい。そのため、ステップ３４にはトンネル部３４ｄが、壁体２の外側面２ａと平行となるように形成されると同時に、当該トンネル部３４ｃの長手方向にスリット３４ｄが形成されており、猫の転落を防止すると共に、猫の様子を外部からでも視認することができる。また、枠部材３４ｃを壁体２に取付ける際には、図６に示すように、壁体２と当接する棒部材３４ａにネジＳ４が壁体２方向にねじ込まれる等して取付けられる。
【００４０】
第５の実施形態に係るステップ３５は、図７に示すように、２枚の略矩形の板部材３５ａが高さ方向に所定間隔をあけて一端側が、水平方向に壁体２の外側面２ａに取付けられ、他端側には当該他端側同士を架設する架設材３５ｂが所定間隔をあけて複数設けられている。そのため、ステップ３５にはトンネル部３５ｃが、壁体２の外側面２ａと平行となるように形成されると同時に、当該トンネル部３５ｃの長手方向にスリット３５ｄが形成されており、猫の転落を防止すると共に、猫の様子を外部からでも視認することができる。そして、第５の実施形態に係るステップ３を壁体２に取付ける際には、図８に示すように、既述の係止部材４を使用することができる。
【００４１】
第６の実施形態に係るステップ３６は、図１に示すように、板状の部材を円弧状に成形し、これを上側へ凸となるようにしたものである。また、このステップ３６は、猫が運動する際のステップ３として使用することもできるが、該ステップ３の円弧状に形成されたステップ３６の上側面３６ａの曲面を利用して、猫が昼寝等をすることができる。
【００４２】
また、これ以外にも、図１に示すように、板部材５のみ係止金具４を用いて壁体２の外側面２ａと垂直に取付けてステップ３としてもよい。
【００４３】
以上のように形成される種々のステップ３はこれらを同じ形状のものを複数、若しくは、他の形状のものを複数組合わせて使用してもよく、これらの勾配や使用されるステップ３も目的に応じて適宜変更することができる。そして、既述の最上端ステップ３ａに設けられるステップ３としては、ステップ３２以外にも、これと同様に柵３２ｃを有するステップ３３も使用することができる。さらに、ステップ３１、３４、３５も、それぞれトンネル部３１ａ、３４ｃ、３５ｃが形成され、当該トンネル部３１ａ、３４ｄ、３５ｃを猫が通る際にはその周囲が覆われることによりこれらが柵の役割を果たすので、ステップ３１、３４、３５も最上端ステップ３ａとして使用することができる。
【００４４】
さらに、ステップ３には、図９に示すように、例えば、ステップ３２、３３の板部材３２ａの長手方向の両端部付近に当該板部材３２ａを貫通する穴を複数形成する等して滑り止め加工を施すことができる。これにより、猫がステップ３を飛び移る際に、滑ってステップ３から転落等することがない。また、滑り止め加工は、前述の方法以外にも、板部材３２ａの表面に凹凸を形成する等してもよく、さらには、ゴムシート等を貼り付ける等してもよい。尚、滑り止め加工は、ステップ３２、３３以外の他のステップ３にも適応することができるのは勿論である、
【００４５】
第１の実施形態に係る猫用遊具１は、以上のように形成された各種のステップ３を、図１に示すように、猫が当該ステップ３を順番に上って行けるように階段状に取付けて形成されるものである。これにより、猫の運動スペースを容易に確保することができると共に、飼主がその姿を視認することができる。そして、ステップ３同士の間は猫が容易に飛び移る等して移動することができるように、例えば２０〜４０ｃｍ程度離間させていることが好ましい。そして猫用遊具１にはステップ３の他にも御椀型の寝床６や、毛づくろいの際に飲込んだ毛を吐き出すために猫が食べる猫草７、さらに、ステップ３１の側面等に爪磨き用シート８等を設置することができる。
【００４６】
そして、第２の実施形態に係る猫用遊具１は、図２に示すように、壁体２におけるステップ３が設けられた側と反対側面には階段Ａが設けられており、当該壁体２には第１の実施形態に係る猫用遊具１の場合と同様に各種のステップ３等を適宜選択して使用することができる。また、第１の実施形態に係る猫用遊具１に記載されている構成は、第２の実施形態に係る猫用遊具１にも適応することができるのは勿論である。
【００４７】
この場合には、図２に示すように、壁体２の外側面２ａには階段Ａへと連通し、猫が往来可能な大きさの連通孔９が形成されており、猫の運動スペースをより拡大することができる。さらに、前記壁体２内部に該壁体２の外側から猫が出入り自在な通り穴１０を有する収容体１１が、階段Ａの下に形成される階段下空間１２側に突出して設けられている。この収容体１１は、壁体２の外側面２ａに形成された開口部Ｃからその内部に引出し部１３が階段下空間１２に埋め込まれるようにして形成されると共に、該引出し部１３の外側面には通り穴１０が形成されており猫がその内部に出入り自在となっている。さらに、図２に示すように、該引出し部１３は壁体２の外側に引出し自在となっている。また、この収容体１１では猫が休むことができる他、猫用ブラシ等の雑品も収納可能である。
【００４８】
尚、第１の実施形態に係る猫用遊具１においても、壁体２の内部にスペースがある場合には、当該壁体２の外側面２ａに開口部Ｃを設けその内部に引出し部１３を設けて収容体１１を形成してもよいのは勿論である。さらに、第１の実施形態に係る猫用遊具１において、壁体２におけるステップ３が設けられた側と反対側面に居室が隣接している場合には、隣の居室まで連通する連通孔９が形成されていてもよい。
【００４９】
以上のように猫用遊具１が形成されることによって、安全な猫の運動スペースを確保を容易に確保することができ、且つ、当該猫の運動不足を解消することができる。
【産業上の利用可能性】
【００５０】
本発明に猫用遊具１は、住宅だけでなく、ペットショップやカフェ等にも使用することができる。
【図面の簡単な説明】
【００５１】
【図１】第１の実施形態に係る猫用遊具の全体斜視図
【図２】第２の実施形態に係る猫用遊具の全体斜視図
【図３】第１の実施形態に係るステップの全体斜視図
【図４】第２の実施形態に係るステップの全体斜視図
【図５】第３の実施形態に係るステップの全体斜視図
【図６】第４の実施形態に係るステップの全体斜視図
【図７】第５の実施形態に係るステップの全体斜視図
【図８】係止金具による取付け状態を示す図
【図９】ステップに設けられた滑り止めを示す図
【図１０】従来技術を示す図
【符号の説明】
【００５２】
１        猫用遊具
２        壁体
３（３１〜３６）        ステップ
３ａ      最上部ステップ
９        連通孔
１０      開口部
１１      収容体
１２      階段下空間
１３      引出し部
Ａ        階段
【図１】
2010011761.tif 000003
【図２】
2010011761.tif 000004
【図３】
2010011761.tif 000005
【図４】
2010011761.tif 000006
【図５】
2010011761.tif 000007
【図６】
2010011761.tif 000008
【図７】
2010011761.tif 000009
【図８】
2010011761.tif 000010
【図９】
2010011761.tif 000011
【図１０】
2010011761.tif 000012